(57)【要約】【課題】  エアーバック防止機能付きの押し込み栓を備えたスクイズ式注出容器について、ストッパーリングのような部品を必要とすることなく、また、押し込み栓を容器とは別途に包装して添付するようなことを必要とせず、容器に押し込み栓を一体的に装着した状態で、しかも、商品の使用前に押し込み栓により注出口の薄膜部分を誤って破断することがないようにする。【解決手段】  容器本体１の注出口１３に冠着されるキャップ２に対して、その天板部２３の上面側に、エアーバック防止機能（小孔３５）を備えた押し込み栓３を係脱可能に取り付けると共に、この押し込み栓３と容器本体１の注出口１３のそれぞれに、押し込み栓３が容器本体１の注出口１１に押し込まれた状態で係合するような係合部３４，１６を形成しておく。【選択図】  図１
2005138866.tif 000002
【特許請求の範囲】
【請求項１】
エアーバック防止機能を備えた押し込み栓を、容器本体の注出口に押し込んで、注出口を密封している薄膜部分を破断することで、容器を開封すると共にエアーバックを防止するようにしたスクイズ式注出容器において、容器本体の注出口に冠着されるキャップに対して、その天板部の上面側に、エアーバック防止機能を備えた押し込み栓が係脱可能に取り付けられていると共に、この押し込み栓と容器本体の注出口のそれぞれに、押し込み栓が容器本体の注出口に押し込まれた状態で係合するような係合部が形成されていることを特徴とするエアーバック防止機能付きスクイズ式注出容器。
【請求項２】
押し込み栓と容器本体の注出口との係合が、キャップと押し込み栓との係合よりも強くなるように形成されていることを特徴とする請求項１に記載のエアーバック防止機能付きスクイズ式注出容器。
【請求項３】
エアーバック防止機能を備えた押し込み栓が、容器の胴部を押圧したときの正内圧では内容物を通過させ、容器の胴部の弾性復元力による負内圧では内容物が詰まった状態を維持するような小孔を有するものであることを特徴とする請求項１又は２に記載のエアーバック防止機能付きスクイズ式注出容器。
【請求項４】
エアーバック防止機能を備えた押し込み栓が、容器の胴部を押圧したときの正内圧では開き、容器の胴部の弾性復元力による負内圧では閉じるような一方向弁を有するものであることを特徴とする請求項１又は２に記載のエアーバック防止機能付きスクイズ式注出容器。
【発明の詳細な説明】
【技術分野】
【０００１】
本発明は、柔軟性のある胴部を押圧することで内容物を注出口から搾り出すチューブ容器等のようなスクイズ式注出容器に関し、特に、そのようなスクイズ式注出容器について、胴部の弾性復元力により注出口から空気が容器内に流入するのを防止するエアーバック防止機能を備えたスクイズ式注出容器に関する。
【背景技術】
【０００２】
柔軟性のある胴部を押圧することで内容物を注出口から搾り出す、例えば、チューブ容器や袋状容器のようなスクイズ式注出容器については、アルミ箔が耐気体透過性に優れていることから、アルミ箔が積層された素材により容器本体を形成すると共に、容器本体の注出口を未使用の状態で密封するために、注出口の開口部分を外側から覆うようにアルミ箔のシール蓋を接着したり、或いは、胴部に固着される肩部から注出口にかけてアルミ箔で内側から覆うということが従来から一般的に行われており、そのようなスクイズ式注出容器では、消費者が商品を使用するに当たって、容器本体の注出口に押し込み栓を押し込むことで、容器本体の注出口を密封しているアルミ箔による薄膜部分を破断して容器を開封している。
【０００３】
そのようなスクイズ式注出容器において、注出口のアルミ箔による薄膜部分を押し込み栓により破断してから内容物を使用する場合に、内容物を必要量だけ取り出した後で、容器の胴部の弾性復元力により外部の空気が注出口から容器内へ流入する所謂エアーバックという現象が起きるのに対して、そのようなエアーバックを防止するための機能を予め押し込み栓に設けておくということが従来から公知となっている（下記の特許文献１，２等参照）。
【特許文献１】特開平７−１１２７４９号公報
【特許文献２】特開平１０−２９６４７号公報
【発明の開示】
【発明が解決しようとする課題】
【０００４】
ところで、上記のような従来公知のエアーバック防止機能付きスクイズ式注出容器では、押し込み栓がキャップ状に容器本体に冠着されるようになっており、そのため、店頭での陳列販売時のような未使用の商品の流通過程で、押し込み栓が誤って押し込まれることで注出口のアルミ箔による薄膜部分が誤って破断されるのを防止するために、キャップ状に冠着される押し込み栓と容器本体との間にストッパーリングを介装させたり、或いは、押し込み栓を容器とは別に切り離しておくような必要性があり、そのために、ストッパーリングのような部品が必要となったり、或いは、押し込み栓を容器とは別途に包装して添付しておくことが必要となったりするという問題があった。
【０００５】
本発明は、上記のような問題の解消を課題とするものであり、具体的には、エアーバック防止機能付きの押し込み栓を備えたスクイズ式注出容器について、ストッパーリングのような部品を必要とすることなく、また、押し込み栓を容器とは別途に包装して添付するようなことを必要とせず、容器に押し込み栓を一体的に装着した状態で、しかも、商品の使用前に押し込み栓により注出口の薄膜部分を誤って破断することがないようにすることを課題とするものである。
【課題を解決するための手段】
【０００６】
本発明は、上記のような課題を解決するために、エアーバック防止機能を備えた押し込み栓を、容器本体の注出口に押し込んで、注出口を密封している薄膜部分を破断することで、容器を開封すると共にエアーバックを防止するようにしたスクイズ式注出容器において、容器本体の注出口に冠着されるキャップに対して、その天板部の上面側に、エアーバック防止機能を備えた押し込み栓を係脱可能に取り付けると共に、この押し込み栓と容器本体の注出口のそれぞれに、押し込み栓が容器本体の注出口に押し込まれた状態で係合するような係合部を形成しておくことを特徴とするものである。
【発明の効果】
【０００７】
上記のような本発明のエアーバック防止機能付きスクイズ式注出容器によれば、流通過程で容器が開封される前には、押し込み栓はキャップの天板部の上面側に一体的に固定されていることから、ストッパーリングのような部品を介装させたり、押し込み栓を容器とは別途に包装したりしなくても、押し込み栓が誤って注出口に押し込まれるようなことはなく、押し込み栓により誤って容器が開封されるのを防止することができる。
【０００８】
また、容器を開封する時には、キャップから押し込み栓を取り外してから容器本体の注出口に押し込み栓を押し込んだり、或いは、キャップを逆さまにした状態で、キャップを持って押し込み栓の部分を容器本体の注出口に押し込み、注出口の係合部と押し込み栓の係合部を係合させた状態から、キャップを引き上げることで、キャップと押し込み栓の係合を解除したりすることによって、押し込み栓を容器本体の注出口に押し込んだ状態で固定させることができる。
【０００９】
そして、そのように容器を開封した後は、容器本体の注出口に固定された押し込み栓がエアーバック防止機能を備えていることにより、容器の胴部を押圧することで内容物を必要量だけ注出口から搾り出した後で、胴部の弾性復元力で注出口から容器内に外部の空気が流入するエアーバックが起きるのを防止することができる。
【発明を実施するための最良の形態】
【００１０】
エアーバック防止機能付きの押し込み栓を備えたスクイズ式注出容器について、ストッパーリングのような部品を必要とすることなく、また、押し込み栓を容器とは別途に包装して添付するようなことを必要とせず、容器に押し込み栓を一体的に装着した状態で、しかも、商品の使用前に押し込み栓により注出口の薄膜部分を誤って破断することがないようにするという目的を、最良の形態として以下の実施例に具体的に示すように、容器本体の注出口に冠着されるキャップに対して、その天板部の上面側に、エアーバック防止機能を備えた押し込み栓を係脱可能に取り付けると共に、この押し込み栓と容器本体の注出口のそれぞれに、押し込み栓が容器本体の注出口に押し込まれた状態で係合するような係合部を形成しておくということで実現した。
【実施例】
【００１１】
本実施例のエアーバック防止機能付きスクイズ式注出容器は、図１に示すように、上端に注出口が形成されたチューブ状の容器本体１と、容器本体１の注出口１３に螺合によって冠着されるキャップ２と、キャップ２の天板部２３の上面側に係脱可能に取り付けられる押し込み栓３とから構成されるものであって、容器本体１は、その胴部１１がアルミ箔と合成樹脂を積層させた薄板材から形成され、この胴部１１の上端に、アルミ箔１４の外側に合成樹脂を射出成形して製造された肩部１２と注出口１３が一体的に固着されていて、注出口１３の上端付近の開口部分では、アルミ箔１４が該開口部分を密封している薄膜部分となっている。
【００１２】
そのような容器本体１の注出口１３に冠着されるキャップ２は、ポリプロピレン等のオレフィン系の合成樹脂から射出成形等により製造されるもので、上端で連結された外筒部２１と内筒部２２の二重構造に形成されたキャップ２には、内筒部２２の上端から下方に陥没した位置（内筒部２２の高さ方向の中間付近）に天板部２３が形成されており、キャップ２の内筒部２２の天板部２３よりも下方の内周面には、容器本体１の注出口１３の下方外周面にネジ部１５が形成されているのに対応して、このネジ部１５と螺合するネジ部２４が形成されている。
【００１３】
そのようなキャップ２の天板部２３の上面側に係脱可能に取り付けられる押し込み栓３は、キャップ２と同様に、ポリプロピレン等のオレフィン系の合成樹脂から射出成形等により製造されるもので、尖った先端部３１を上にした状態で押し込み栓３をキャップ２の天板部２３の上面に係脱可能に取り付けるために、キャップ２の天板部２３の上面に環状の係止凸部２５が形成されているのに対応して、押し込み栓３の基端部３２（尖った先端部３１とは反対側）の端面には、キャップ２の天板部２３の係止凸部２５と嵌合するように環状の係止凹部３３が形成されている。
【００１４】
さらに、押し込み栓３の基端部３２の外周面には、押し込み栓３を容器本体１の注出口１３に固定させるための係合部となる環状凸部３４が形成されており、この押し込み栓３の基端部３２に形成された環状凸部３４と対応するように、容器本体１の注出口１３のアルミ箔１４で密封された開口部分よりも上方の内周面には、押し込み栓３の環状凸部３４との係合部となる環状凹部１６が形成されている。
【００１５】
なお、本実施例では、押し込み栓３は、図４（Ａ），（Ｂ）に示すように、アルミ箔を破断するための尖った先端部３１を有する円柱状に形成され、先端とは反対側の基端部３２は、円柱状から一体的に横方向に張り出すフランジ状に形成されていて、この押し込み栓３には、エアーバックを防止するための構造として、押し込み栓３の円柱状の部分を軸方向に貫通する複数本（４本）の小孔３５が形成されている。
【００１６】
押し込み栓３に形成される小孔３５の直径や本数については、内容物の粘性によって適宜に決定されるものであって、内容物としては、ある程度の粘性が有るものであれば良く、例えば、ジャム等の食品、接着剤、毛染め液や乳液等の化粧料、軟膏等の薬剤などが挙げられるが、そのような内容物の場合には、小孔３５の直径は１．８〜２．２ｍｍ程度で、本数は２〜４本程度とするのが好適である。
【００１７】
また、本実施例では、容器本体１の注出口１３と押し込み栓３との係合（環状凹部１６と環状凸部３４とによる係合）が、キャップ２と押し込み栓３との係合（係止凸部２５と係止凹部３３とによる係合）よりも強くなるように形成されている。即ち、注出口１３の環状凹部１６と押し込み栓３の環状凸部３４とが嵌合した場合の接触面積は、キャップ２の係止凸部２５と押し込み栓３の係止凹部３３とが嵌合した場合の接触面積よりも広くなるように形成されている。
【００１８】
上記のように構成されている本実施例のエアーバック防止機能付きスクイズ式注出容器によれば、流通過程で容器が開封される前には、図１に示すように、キャップ２の天板部２３の上面に押し込み栓３が一体的に取り付けられていることから、ストッパーリングのような別の部品を介装させたり、或いは、押し込み栓となる部品を容器（キャップが装着された容器本体）とは別途に包装したりしなくても、容器本体１の注出口１３にキャップ２を螺合して冠着した状態で、押し込み栓３が誤って容器本体１の注出口１３に押し込まれるようなことはなく、押し込み栓３により誤って容器が開封される（容器本体１のアルミ箔１４が破断される）のを防止することができる。
【００１９】
また、容器を開封する時には、容器本体１に螺合状態で冠着されているキャップ２を、螺合を解いて容器本体１から取り外してから、キャップ２を逆さまにした状態で、図２に示すように、キャップ２に取り付けられた状態のままで押し込み栓３を容器本体１の注出口１３に押し込むことにより、容器本体１の注出口１３の開口部分を密閉しているアルミ箔１４を、押し込み栓３の尖った先端部３１により破断させて、容器を開封させることができる。
【００２０】
そのようにキャップ２に取り付けられ押し込み栓３を容器本体１の注出口１３に押し込んで、注出口１３の係合部（環状凹部１６）と押し込み栓３の係合部（環状凸部３４）を係合させた状態において、注出口１３と押し込み栓３との係合（環状凹部１６と環状凸部３４とによる係合）が、キャップ２と押し込み栓３との係合（係止凸部２５と係止凹部３３とによる係合）よりも強いことから、図３に示すように、そのままキャップ２を引き上げるだけで、キャップ２と押し込み栓３との係合（係止凸部２５と係止凹部３３とによる係合）が解除されて、キャップ２から切り離された押し込み栓３は、容器本体１の注出口１３に押し込まれた状態で固定される。
【００２１】
そして、そのように容器が開封（容器本体１のアルミ箔１４が破断）され、押し込み栓３が容器本体１の注出口１３に固定された後では、エアーバック防止機能として複数本の小孔３５が押し込み栓３に形成されていることにより、容器本体１の胴部１１を押圧することで内容物を必要量だけ注出口１３から搾り出してから胴部１１の押圧を止めても、押し込み栓３の小孔３５に内容物が詰まった状態となることから、胴部１１の弾性復元力で注出口１３から容器内に外部の空気が流入するようなエアーバックが起きるのを防止することができる。
【００２２】
以上、本発明のスクイズ式注出容器の一実施例について説明したが、本発明は、上記の実施例に示した具体的な構造にのみ限定されるものではなく、例えば、エアーバック防止機能を備えた押し込み栓３については、上記の実施例に示した構造のものに限らず、図５に示すように、その他の適宜の構造とすることが可能である。
【００２３】
すなわち、図５に示したものでは、押し込み栓３は、尖った先端部３１とフランジ状の基端部３２を有する円筒状に形成され、その基端部３２の開口部分に、ヒンジ部３７を支点にして開閉する円板状の弁体３６による一方向弁が設けられている。そのような構造によれば、容器の胴部を押圧したときには、弁体３６が外方へ向かって開くことで、一方向弁が開いて内容物を注出口から搾り出すことができ、その後で胴部の押圧を止めると、押し込み栓３の端面に弁体３６が張り付くことで、一方向弁が閉じて注出口から空気が流入するエアーバックが防止される。このような一方向弁によるエアーバック防止機能によれば、上記の実施例に示した小孔３５によるエアーバック防止機能と比べて、粘性の低い内容物に対応したエアーバック防止効果が発揮できる。
【００２４】
さらに、上記の実施例では、容器本体１の注出口１３と押し込み栓３との係合（環状凹部１６と環状凸部３４とによる係合）を、キャップ２と押し込み栓３との係合（係止凸部２５と係止凹部３３とによる係合）よりも強くなるように設定しているが、必ずしもそのように設定する必要はなく、キャップ２に取り付けられた押し込み栓３を手で取り外してから、キャップ２から取り外した押し込み栓３を手で持って容器本体１の注出口１３に押し込むことにより、容器を開封すると共に容器本体の注出口に押し込み栓を固定するようにしても良い等、適宜に設計変更可能なものであることは言うまでもない。
【図面の簡単な説明】
【００２５】
【図１】本発明のスクイズ式注出容器の一実施例について、押し込み栓が取り付けられたキャップと、未使用（未開封）の状態の容器本体の上部とをそれぞれ示す縦断面図。
【図２】図１に示した実施例について、キャップに取り付けられたままの押し込み栓を容器本体の注出口に押し込んで容器を開封するときの状態を示す縦断面図。
【図３】図１に示した実施例について、押し込み栓を容器本体の注出口に押し込んで容器を開封した後、押し込み栓を容器本体の注出口に固定したままキャップを引き上げたときの状態を示す縦断面図。
【図４】図１に示した実施例に使用されている押し込み栓の構造を示す（Ａ）縦断面図、および（Ｂ）図ＡのＢ−Ｂ線に沿った横断面図。
【図５】本発明の他の実施例について、押し込み栓の構造を示す縦断面図。
【符号の説明】
【００２６】
１        容器本体
２        キャップ
３        押し込み栓
１１      （容器本体の）胴部
１３      （容器本体の）注出口
１４      アルミ箔（注出口を密封している薄膜部分）
１６      環状凹部（注出口に形成された押し込み栓との係合部）
２３      （キャップの）天板部
２５      係止凸部（キャップ天板部に形成された押し込み栓との係合部）
３３      係止凹部（押し込み栓に形成されたキャップ天板部との係合部）
３４      環状凸部（押し込み栓に形成された注出口との係合部）
３５      小孔（押し込み栓のエアーバック防止機能である小孔）
３６      弁体（押し込み栓のエアーバック防止機能である一方向弁）
【図１】
2005138866.tif 000003
【図２】
2005138866.tif 000004
【図３】
2005138866.tif 000005
【図４】
2005138866.tif 000006
【図５】
2005138866.tif 000007